(57)【特許請求の範囲】
【請求項１】
それぞれ伝送チャネルを介して複数のテレビジョン番組を送信するために、当該送信機局が使用する伝送チャネルを表わす選局データを前記複数のテレビジョン番組の一つのテレビジョン信号中で所定の繰返し周波数で送信するのに適合したデータ発生器を備えた送信機局において、当該テレビジョン信号中に前記選局データが組込まれていることを示す符号（〜）を、当該選局データを載せたページを送信する繰返し周波数より高い繰返し周波数で、前記テレビジョン信号中で送信するのにも前記データ発生器が適合していることを特徴とする送信機局。
【請求項２】
前記選局データを所定の文字放送ページに組込んだ請求項１記載の送信機局において、選局データを載せた該当ページが一部をなす文字放送ページ群の見出しに前記符号を含めたことを特徴とする送信機局。
【請求項３】
前記符号を、前記ページ見出しの空白部として表示すべき文字位置に含めるとともに、文字放送表示モードを切換えるための制御符号によって構成したことを特徴とする請求項２記載の送信機局。
【請求項４】
テレビジョン信号群を送信する伝送チャネル群を選局するためのチューナ、テレビジョン信号群に組込んだデータを受信して蓄積するための復号器、選局データをそれぞれのメモリ位置に蓄積するための選局メモリ、並びに、前記チューナ、前記復号器、および前記選局メモリに結合するとともに、送信された選局データを受信して前記選局メモリに蓄積するのに適合した制御回路を備えた、請求項１記載の送信機局が送信したテレビジョン信号の受信機において、テレビジョン信号の受信に際し、前記選局データが当該テレビジョン信号に組込まれていることを示す符号を検出するとともに、当該符号の受信に際し、前記選局データ受信のために待機するのにも前記制御回路が適合していることを特徴とする受信機。
【請求項５】
前記選局データを文字放送ページに組込んだ請求項４記載の受信機において、所定の文字放送ページを選択するとともに、その受信待機中に、前記符号が文字放送ページ群の見出しに包含されているか否かを検出するのに前記制御回路が適合していることを特徴とする受信機。
【請求項６】
所定時間内に前記符号が検出されないときに、他の伝送チャネルに前記チューナを同調させるのに前記制御回路が適合していることを特徴とする請求項４または５記載の受信機。
【発明の詳細な説明】
【０００１】
【産業上の利用分野】
本発明は、それぞれ伝送チャネルを介して複数のテレビジョン番組を送信するために、その送信機局が使用する伝送チャネルを表わす選局データを複数のテレビジョン番組の一つのテレビジョン信号中で所定の繰返し周波数で送信するのに適合したデータ発生器を備えた送信機局に関するものであり、また、かかる送信機局からのテレビジョン信号を受信する受信機に関するものでもある。
【０００２】
【従来の技術】
一般に、テレビジョン受信機は、プリセットキーにより、番組番号あるいはプリセット番号を参照して所望の番組を選局する。受信機の選局メモリは、送信機周波数もしくはチャネル番号の形で各プリセット番号に対する選局データを備えており、その選局データにより受信機が対応した伝送チャネルを選局する。受信機を最初に使用する場合には、選定手順として参照する手順に従って設定しておく必要がある。しかしながら、受信機の選定手順がすでに設定されている場合には、例えば新たなテレビジョン番組を取入れる際に、割当てられているプリセット番号を変更するのが望ましい。
【０００３】
選局手順の種々の実施例が知られており、魅力的な実施例が欧州特許第０２６３５５５号明細書に記載されている。この選局手順は、ケーブル回線網の管理者がテレビジョン番組の分配を行なうケーブルテレビジョン方式に適用するのが好適である。この特許明細書に記載されているように、ケーブルテレビジョン送信機局は、少なくとも一つのテレビジョン番組とともに同時に、利用し得る番組および対応したプリセット番号からなる選局データを載せた文字放送ページを送信する。該当する文字放送ページは、標準化したページ番号、例えば、１００〜８９９の通常の範囲外の第十進法のページ番号を有している。選定手順には、現在、そのページの選択およびそのページに組込まれている選局データの選局メモリへの蓄積が含まれている。したがって、受信可能の番組は、すべて、管理者が指定したプリセット番号によって呼出すことができ、そのプリセット番号は、一般に使用者の希望を満たすものとなる。
【０００４】
【発明が解決しようとする課題】
選局データを載せた文字放送ページは、ケーブル回線網の管理者が発生させた局地テレビジョン番組のテレビジョン信号とともに送信するのが好適である。実際には、あらゆるケーブル回線網のかかる番組をケーブル新聞、組込み映像などの形で送信している。したがって、前述の欧州特許明細書に記載されているように、テレビジョン受信機は、予定した文字放送ページの番組が見つかるまで、選定手順中に全チャネルを探索することになる。当今ではほぼ全番組となるが、文字放送を行なっているテレビジョン番組が見つかる度毎に、選局データを載せた文字放送ページが見つかるまでに所定の待ち時間がかかる。選局データを載せたページは多数の文字放送ページを含む繰返し周期の一部をなしているのであるから、その待ち時間は比較的長くなる。実際に、文字放送の繰返し周期、したがって、選局データを載せたページの繰返し周期は、３０秒以上になる。したがって、従来周知の選定手順の問題点は、選定に数分の時間がかかるということであり、これは、従来の選定手順の使用者の便宜をかなり害うものである。
【０００５】
【課題を解決するための手段】
本発明の目的は、文字放送チャネル選定の手順を改良し、特に、選定手順を速くすることにある。
この目的を達するために、本発明によるテレビジョン送信系は、テレビジョン信号中に選局データが組込まれていることを示す符号を、その選局データを載せたページを送信する繰返し周波数より高い繰返し周波数で、そのテレビジョン信号中で送信するのにもデータ発生器が適合していることを特徴とするものである。したがって、比較的短い待ち時間で、テレビジョン番組に選局データが組込まれているか否かを確認し得るようになり、選局データを載せたテレビジョン番組の探索はかなり加速される。かかるテレビジョン番組に対してだけは、より長い周期の待ち時間が選局データを載せたページに許される。
【０００６】
選局データを文字放送ページに組込んだ送信機局においては、選局データを載せたページが一部をなす文字放送ページ群の見出しに符号を含めるのが好適である。かかる実施例は、符号の送信に何ら余分の送信経費を要さず、待ち時間の増大を伴わず、従来の文字放送サービス内で容易に実施し得るので極めて有用である。しかも、符号の待ち時間は、本来不明の文字放送繰返し周期の時間には左右されず、繰返し周期中の全文字放送ページの見出しに符号が含まれていて、さらに、テレビジョン信号の１画像ラインのみが文字放送に使用されて、周知のように、毎秒２ページ分の文字放送に相当する場合には、選局データの最大待ち時間は、１周期６０ページに対して３０秒、１周期９０ページのときに４５秒、などとなるが、その場合、符号は毎秒２回ずつ送信される。さらに多くの画像ラインを使用した場合には、符号の繰返しは、さらに頻繁になる。したがって、実際には、符号の待ち時間は、チャネルの選局に要する時間だけで決まることになる。そのうえに、この実施例には、選択した文字放送ページ待機中の見出しをすべて受信して蓄積するのに、従来のどの文字放送復号器も回路の追加を要しない、という利点もある。
【０００７】
選局データの存在を示す符号は、文字放送において、通常、文字放送表示モードの切換えに使用する制御符号の一つを使用するのが好適であり、かかる符号は、見出しの空白部に組込むことができ、使用者の目にはつかず、しかも、見出しの文字配列に何ら余分の制御を課さない。
【０００８】
【実施例】
以下に図面を参照して実施例につき本発明を詳細に説明する。
図１には、本発明による送信機局の構成例を示す。送信機局は、テレビジョン番組を受信するためのアンテナ１を有しており、受信したテレビジョン番組群は、局管理者が決めた伝送４チャネルをそれぞれ介し、複数の並列配置転換段２によって伝送し、加算器回路３に供給して互いに加算し、その結果、出力端に中央アンテナ信号ＣＡＳが現われ、その信号ＣＡＳを多数のテレビジョン受信機が受信するのであるが、再送信したテレビジョン番組には、文字放送サービスを行なうものと行なわないものとがある。
【０００９】
中央アンテナ信号ＣＡＳには、再送信テレビジョン番組に加えて、局地的に発生させたテレビジョン番組も含まれており、その局地テレビジョン信号ＬＯＣを変調器４を介して加算器回路３に供給する。この局地テレビジョン番組は信号源５によって供給するが、信号源５には、ベースバンド映像信号を供給する映像信号源５１と少なくとも１ページの文字放送を供給する文字放送発生器５２とを備えている。文字放送発生器５２は文字放送を少なくとも１ページ分供給するキーボード５３を備えており、送信すべき文字放送ページは、文字放送挿入器５４により、局地映像信号ＬＯＣの画像ライン中に収容する。
【００１０】
以下では、周知の世界方式文字放送標準に従って文字放送ページを送信するものとする。図２に示すように、テレビジョン信号の画像ラインは、８ビットずつの４５バイトからなるデータ群列を備えている。固定値１０１０…１０を有する最初の２バイトは、図２に符号ＣＲＩで示した「クロックランイン」であり、第３のバイトは、同じく固定値を有する「フレームコード」Ｆであり、次の２バイトは、書籍符号Ｍおよび行番号Ｒを表わす。残余の４０バイトの意義は、行番号Ｒの値によって決まる。行番号が１乃至２３の値を有するときには、図２のＢに示すように、表示スクリーンに表示するための４０文字の行をその４０バイトが構成し、行番号が０値を有するときには、図２のＡに示すように、そのデータ群列が文字放送ページの見出しを構成する。かかるページ見出しにおける一連の４０バイトは、ページ番号の１０位Ｔおよび１位Ｕを表わす２字、副符号ＳＣおよび複数の制御ビットＣで始まり、残りの部分は、ページ見出し文の２４文字位置および実時間表示のための８文字位置である。原理的には、全ページの見出し文は文字放送の全ページに等しいが、ページ番号を表示可能の文字の形で見出し文中に再度組込むことが可能であり、普通は実際にそのとおりである。その場合に、ページ見出しはページ番号によって互いに相違する。
【００１１】
文字放送ページの送信は、そのページの見出しを含めて開始され、引続き、関連した文字放送行の群に対して行なわれる。ページ番号は、文書番号Ｍと１０位の数字Ｔおよび１位の数字Ｕとからなり、デイジット数３であって、一般に、使用者が１０進キーボードで選定し得るように１００〜８９９の範囲内にしてある。一連の文字放送ページ群が繰返して送信され、例えば、以下に仮定するように、局地テレビジョン番組におけるテレビジョン信号の２画像ラインを用いて一周期１２０ページの文字放送が送信され、繰返し周期は３０秒とする。
【００１２】
図２のＡに例示したように、局地テレビジョン番組とともに送信する全文字放送ページの見出しには、「ｎｎｎ〜ケーブル文字…」の文字列が設けてあり、ここで、ｎｎｎはページ番号を表わし、〜は、そのテレビジョン番組が選局データを載せた文字放送ページを備えていることを表わす。この符号〜は、表示スクリーンに表示したときに空白部に示される制御符号により構成することができ、多数のかかる制御符号が世界方式文字放送標準に用いられている。それらの制御符号は、引続く表示可能文字群を制御するためのものであり、例えば、引続く文字群の色を制御し、あるいは、数字表示とグラフ表示とを切換えるための制御符号があり、また、他の例としては、引続く文字群をひらめかす「フラッシュ」やその表示を抑える「コンシール」がある。また、対をなして現われる制御符号もあり、例えば、「フラッシュ」は相補的制御符号「ステッディ（安定）」を有し、「フラッシュ」は相補的変体「リビール（明示）」を有している。
【００１３】
いくつかの表示法、就中、「フラッシュ」および「コンシール」は、実際には、文字放送ページの見出しには用いられない。したがって、関連した制御符号およびその相補的変体は、通常の文字放送送信におけるページの見出しには現われない。その結果、これらの制御符号は、文字放送の周期に選局データを載せた文字放送ページを備えてあることを示すのに極めて好適である。また、周知のように、かかる相補的制御符号は、表示モードに関しては何らの効果も呈しないので、最適である。以下では、図２のＡに示した符号〜を制御符号「ステッディ」によって構成する。
【００１４】
図３には、選局データを載せた文字放送ページで構成した文字放送行の様式を示し、特に、図３Ａにはその第１行の様式を示し、図３Ｂには他の文字放送行の様式を示す。第１行の最初の２０文字は、図３Ａに示すように、システム情報、就中、選局データを載せたページに関するものであることを示す２文字＆＆、言語符号、場合によっては、他の選局データを載せて後続するページ群のページ番号ＮＸＴ、変体番号Ｖおよびテレビジョン番組の選局データが後続することを示す文字％を備えており、特定しない文字位置は、従来の使用に備えてある。図３Ａに示す第１文字放送行の第２の部分および図３Ｂに示す他の文字放送行の第１および第２の部分は、その送信機局から送信するテレビジョン番組の選局データを備えており、それらの選局データは、順次に、２デイジットのプリセット番号Ｐ、５デイジットの同調周波数Ｆ、７文字の送信機名ＮＡＭ、送信中の関連番組が準拠する標準テレビジョン方式を示す方式符号Ｓ（０＝ＰＡＬ  Ｂ／Ｇ，１＝ＳＥＣＡＭ  Ｌ，３＝ＮＴＳＣ，その他）、ビデオレコーダをプログラムし得る文字放送ページのページ番号ＰＤＣ（プログラム送出制御の略）および文字名により選局データが後続することを示し、文字！によりそのページの選局データが終ったことを示す継続符号Ｃからなっている。
【００１５】
選局データを載せた文字放送ページは、特定の意味をもった種々の文字群を備えているが、使用者の選択を意図したものではないので、通常の範囲１００乃至８９９以外の番号、例えば６０進数１ＢＥをページ番号に選んであり、選局データを載せた文字放送ページの例を図４に示す。同図に示そうとしているように、この文字放送ページには、受信可能の４４テレビジョン番組の選局データを備えており、文字放送行１の右半部には、プリセット番号０１につなぎ合わせたテレビジョン番組の選局データを示してある。すなわち、この番組は、１７５．２５ＭＨｚで送信され、ＮＬＤ１と呼ばれ、ＰＡＬ  Ｂ／Ｇ標準方式で送信され、文字放送ページ２１０にＰＤＣデータを載せてある。プリセット番号０２につなぎ合わせた第２テレビジョン番組は、５１１．２５ＭＨｚで送信され、ＮＬＤ２と呼ばれ、ＰＡＬ  Ｂ／Ｇ標準方式で送信され、文字放送ページ２２０にＰＣＤデータを載せてある。
【００１６】
図４に示した文字放送ページは幾つかの変形が可能であり、例えば、プリセット番号は、要すれば行番号からも取出せるので、必ずしもこのページに組込む必要はなく、このページに組込んだ場合にも、必ずしもその数字列に組入れる必要はない。しかしながら、図４に示した区分には、伝送誤りによる不一致検出の可能性の利点がある。かかる状況が生じた場合には、同じページの新たな送信に要する待ち時間を推察することができ、さらに、同調周波数の替わりにチャネル番号を用いることもできる。
【００１７】
図５には、本発明によるカラーテレビジョン受像機、あるいは、ビデオレコーダの受信機部分の一般構成を模式的に示す。この受像機は、図１に示した送信機局からの中央アンテナ信号ＣＡＳを受信するアンテナ入力６を有しており、受信信号をチューナ７に印加する。このチューナは、インターフェース回路８からの選局電圧ＶＴ  を受入れる。ＣＩＴＡＣ（選局およびアナログ制御用コンピュータ・インターフェース）の名前で知られているフィリップスＩＣ  ＳＡＢ  ３０３５をインターフェース回路に選定することができる。チューナ７は、周波数ｆの発振器信号を供給して、周波数分割器９により２５６分割し、この分割信号をＣＩＴＡＣ８に供給する。このように、チューナ７、分割器９およびＣＩＴＡＣ８が周波数合成回路を構成する。同調周波数もしくはチャネル番号を表わす数値をＣＩＴＡＣに印加すると、チューナは、自動的にこの周波数もしくはチャネル番号に同調する。
【００１８】
チューナ７は、中間周波数信号ＩＦを供給して、中間周波増幅器および復調器１０に印加し、基底帯域映像信号ＣＶＢＳを供給する。フィリップスＩＣ  ＴＤＡ  ２５４０をこの回路１０に選ぶことができる。映像信号ＣＶＢＳは、色復号回路１１に印加して三原色信号Ｒ，Ｇ，Ｂを供給し、今度は、その三原色信号を増幅器回路１２を介して表示スクリーン１３に印加し、受信した番組を表示する。色復号回路１１においては、色飽和度、コントラストおよび輝度をＣＩＴＡＣから供給する適切な制御信号ＣＴＲＬによって制御し、さらに、追加の組の原色信号Ｒ′，Ｇ′およびＢ′並びに消去信号ＢＬＫを受入れて、三原色信号Ｒ，Ｇ，Ｂを完全に、もしくは、部分的に抑圧することができる。ＴＤＡ  ３５６Ｘ系列のフィリップスＩＣをこの回路１１に選ぶことができる。
【００１９】
映像信号ＣＶＢＳは、文字放送復号器１４にも印加する。この復号器１４は、映像入力処理器１４１を備え、映像信号ＣＶＢＳを受入れて文字放送データ群列を分離して、データ線ＴＴＤを介し、コンピュータ制御文字放送復号器（略称ＣＣＴ復号器）として参照する回路１４２に印加する。このＣＣＴ復号器は、映像入力処理器１４１からのクロック信号をクロック線ＴＴＣを介して受入れ、さらに、メモリ１４３に結合して幾つかの文字放送ページを蓄積し、したがって、ページメモリとして参照する。ＣＣＴ復号器は、前述した三原色信号Ｒ′，Ｇ′，Ｂ′および消去信号ＢＬＫを供給する他に、局地的に発生させたスクリーン上表示情報を表示するにも適している。映像入力処理器１４１はフィリップスＩＣ  ＳＡＡ  ５２３０で構成することができ、ＣＣＴ復号器１４２はフィリップスＩＣ  ＳＡＡ  ５２４０とすることができ、ページメモリ１４３は８キロバイトＲＡＭとすることができる。文字放送復号器１４の構成および動作の詳細説明には、「コンピュータ制御文字放送」、電子素子および応用誌、第６巻、第１号、１９８４年１５〜２９ページを参照する。
【００２０】
この受信機は、さらに、マイクロコンピュータの形の制御回路１５を備えており、フィリップス社ＭＡＢ８４ｘｘ系列のマイクロコンピュータを適用することができ、バス系１６を介し、文字放送復号器１４、ＣＩＴＡＣ８、不揮発メモリ１７および局地操作パネル１８に結合している。選局メモリＴＭとして参照する不揮発メモリ１７は、就中、受信可能のテレビジョン番組の選局データを蓄積するのに用いる。選局メモリをプログラムする方法の詳細については「手動プログラミング」として参照することができる。局地操作パネルは、自動プログラミング用の設定キー１８１を備えている。
【００２１】
手持ち遠隔制御ユニット１９は、受信機の日常操作に使用するが、赤外線操作信号をマイクロコンピュータ１５の入力端に接続した受信器２０に送出する。この遠隔制御ユニット１９は、０乃至９の数字キーおよび画像・音声制御用の慣用キーを備えて、文字放送モード等の切換えを行なう。
【００２２】
テレビジョン受像機の動作は、マイクロコンピュータ１５のメモリに蓄積した制御プログラムによって決まる。正常な動作モードにおいては、受信機の選局は、キーあるいはキーの組合わせによりプリセット番号を発生させて行なうが、プリセット番号につながるテレビジョン番組の同調周波数は、各プリセット番号毎に選局メモリ１７に蓄積してある。関連した同調周波数は、マイクロコンピュータ１５により読出してＣＩＴＡＣ８に印加する。
【００２３】
設定キー１８１を押下すると、マイクロコンピュータは、図６に示す設定プログラムＩＮＳＴを実行する。このプログラムのステップ６０においては、最低同調周波数ｆｍｉｎ  をＣＩＴＡＣに印加し、ついで、ステップ６１において、探索手順を開始し、テレビジョン信号が受信されるまで、同調周波数を段階的に増大させる。ステップ６２において、最高周波数ｆｍａｘ  を超えると、この設定プログラムは終了する。
【００２４】
受信機が見出したテレビジョン番組に同調している間には、マイクロコンピュータは、ステップ６３において、ページ番号１ＢＥを文字放送復号器に供給し、今度は、その文字放送復号器がこの文字放送ページの獲得を開示する。しかしながら、受信したテレビジョン番組が文字放送を送信しているか否か、また、文字放送を送信しているとすると、ページ番号１ＢＥがその文字放送中に存在しているか否かは、予め知られていない。選択した文字放送ページの待ち時間が守られている間には、文字放送復号器１４２が、受信した全ページの見出しをページメモリ１４３に周知の態様で書込む（図５参照）。受信機がその局地テレビジョン番組の文字放送を載せた２画像ラインを選局している場合には、かかる処理が毎秒４見出しの繰返し周波数で行なわれ、見出し文字「ｎｎｎ〜ケーブル文字…」（図２Ａ参照）が、このようにして、毎秒４回だけページメモリ１４３に書込まれる。その際、ページ番号だけはその都度変化するが、残余の見出し文字は、同じ文字列が継続して重ね書きされ、変化せず、したがって、周知のように、「ステッディ」符号〜が、捕捉の始点から毎秒４回の割で受入れられて、ページメモリ１４３に書込まれる。
【００２５】
ステップ６４においては、マイクロコンピュータが見出し文字をページメモリ１４３に書込んで「ステッディ」符号〜がその中にあるか否かを確かめ、ない場合には、ステップ６５において、所定時間Ｔの間見出し文字を書き直す。文字放送に１画像ラインを用いているときでも、毎秒２見出しを受信するのであるから、その時間Ｔは１／２秒だけですむ。したがって、受信機がテレビジョン番組送信文字放送を選局している場合には、選局データを載せたページを示す局地テレビジョン番組であるか否かは１／２秒後に判る。また、然らざる場合には、設定プログラムは、他のテレビジョン番組を探索するために、ステップ６１に戻る。このプログラム・ループは、ステップ６２において、求めるテレビジョン番組が見つからずに最高同調周波数ｆｍａｘ  に到達したことが確かめられると、直ちに終了する。その場合、例えば、使用者は、「手動プログラミング」に戻るべきであることを知らされる。
【００２６】
ステップ６４において、「ステッディ」符号〜を見つけた場合には、文字放送復号器１４２は、ステップ６６において、選局データを載せた文字放送ページ１ＢＥを受信するために待機する。その際、全ページがページメモリ１４３に蓄積される。引続いて、マイクロコンピュータは、ステップ６７において、プリセット番号Ｐをページメモリ１４３に書込むとともに、選局メモリ１７の対応したメモリ位置ＴＭ（Ｐ）を探索する。ついで、マイクロコンピュータは、ステップ６８において、プリセット番号Ｐに組合わさった同調周波数Ｆ、送信機名ＮＡＭ、方式符号Ｓおよびページ番号ＰＤＣを読取って上述したメモリ位置ＴＭ（Ｐ）に蓄積する。最後に、ステップ６９において、継続符号Ｃを読取り、その符号Ｃが文字％からなっている場合には、マイクロコンピュータは、引続くプリセット番号を処理するためにステップ６７に戻り、また、その符号Ｃが文字！からなっている場合には、すべてのプリセット番号を処理してしまったのであり、設定プログラムは終了する。１ＢＥページの全プリセット番号が送信されていない場合には、マイクロコンピュータは、最初の見出しにおける次のページのページ番号ＮＸＴ（図３Ａ参照）を読取ることができる。その際、このページを選定して（図６には示さず）、このページについてステップ６７乃至６９を繰返す。
【００２７】
この例においては「ステッディ」とする符号〜の出現を確めるステップ６４において、この符号より、組合わせた変体（「フラッシュ」）が先行しているか否かを確めることもできることに留意すべきである。その場合には、その局地テレビジョン番組は受信されないが、実際に見出し文字中の「フラッシュ」表示に直面する文字放送送信を伴ったテレビジョン番組は、明らかに存在する。
【００２８】
選定手順の送信後には、選局メモリは、図７に示すようなメモリ内容を有している。この選局メモリは、複数のメモリ位置を備えており、各メモリ位置に、同調周波数Ｆ、送信機名ＮＡＭ、方式符号ＳおよびＰＤＣページ番号を蓄積して、選定手順の終了時に、あるいは、図５におけるＯＳＤキー１９１による使用者の請求に応じ、少なくともプリセット番号および組合わせた送信機名よりなるスクリーン上表示を表示スクリーン上に行なうのが有用である。
【００２９】
図５を参照して前述したように、遠隔制御ユニット上のプリセット番号に対応した選局メモリ１７のメモリ位置は、そのプリセット番号を正規のテレビジョン動作モードで活用する際に探索する。マイクロコンピュータ１５は、今度は、そのメモリ位置に蓄積した同調周波数Ｆを読出してＣＩＴＡＣ８に印加し、受信機に該当したテレビジョン番組を選局させ、さらに、対応した送信機名ＮＡＭを読取って、数秒間のスクリーン上表示を行なうために文字放送復号器１４に印加する。なお、送信機名は、局地の実際に従って送信機局の管理者が決めるものであるから、幾つかの既知のテレビジョン受像機で普通に行なわれるような送信機名の厄介な手動プログラミングは、なしで済ますことができる。また、個人的な好みによる送信機名の手動プログラミングはそのまま可能である。
【００３０】
テレビジョン番組が、局地的に用いられているのとは異なる標準方式、例えばＰＡＬ方式の替わりのＮＴＳＣ方式で送信機局から送信されている限り、また、受信機が雑多な方式の受信機である限りにおいては、マイクロコンピュータは、各プリセット番号毎に対応する方式符号Ｓを読取って、受信機を該当する標準方式に切換える。
【００３１】
受信機が、プログラミング・データを所定の文字放送ページに組込んである番組表示制御ＰＤＣにより、自動表示もしくは自動記録を予めプログラムしてあるテレビジョン番組に適合させてある場合には、使用者が、そのために選択すべきページ番号を知る必要なしに、図５のＰＤＣキー１９２により、そのＰＤＣページを直接に求めることができる。
【００３２】
最後に、当今は、多くのテレビジョン受像機が高価な操作方式のメニューを種々の言語で備えているので、使用者は、上述した受信機に固有の言語を選ぶ必要はない。送信機局が局地的に使用する言語の言語符号（図３ＡにおけるＬ）を送信しているので、受信機は、自動的にその言語に調整することができる。
【図面の簡単な説明】
【図１】本発明複数番組送信用送信機局の構成例を示すブロック線図である。
【図２】Ａ，Ｂは図１に示した文字放送発生器で発生した文字放送データ群列の様式例をそれぞれ示す線図である。
【図３】Ａ，Ｂは図１に示した文字放送発生器で発生した文字放送データ群列の他の様式例をそれぞれ示す線図である。
【図４】選局データを載せた文字放送ページの構成例を示す線図である。
【図５】本発明のテレビジョン受像機の一般構成を模式的に示すブロック線図である。
【図６】図５に示したマイクロコンピュータにより実施する設定プログラムのフローチャートである。
【図７】図６に示した設定プログラムの実施後に行なう図５に示した選局メモリ配分の例を示す図表である。
【図１】
0003591869.tif 000002
【図２】
0003591869.tif 000003
【図３】
0003591869.tif 000004
【図４】
0003591869.tif 000005
【図５】
0003591869.tif 000006
【図６】
0003591869.tif 000007
【図７】
0003591869.tif 000008